(57)【要約】【課題】農業用トラクタ等の作業車両に装備される工具箱を、外観上目立たず且つ雨水が容易に浸入しない収納構造を提供する。【解決手段】座席７をシートレール３１，３４を介して前後に位置調節自在に装着する作業車両１において、座席７をシートレール３４に取付けるシートブラケット３５上に工具箱２１を固定して、工具箱２１を座席７と共に前後移動するように構成し、それにより常時工具箱２１を座席７の下部中央に位置させて、工具箱２１が座席７の外方に剥き出し状態にならないようにする。【選択図】      図２
2004189047.tif 000002
【特許請求の範囲】
【請求項１】
座席（７）をシートレール（３１，３４）を介して前後に位置調節自在に装着してなる作業車両（１）において、前記座席（７）をシートレール（３４）に取付けるシートブラケット（３５）上に工具箱（２１）を固定し、当該工具箱（２１）を座席（７）と共に前後移動するように構成したことを特徴とする作業車両における工具箱の収納構造。
【発明の詳細な説明】
【０００１】
【発明の属する技術分野】
本発明は、農業用トラクタ等の作業車両における工具箱の収納構造に関するものである。
【０００２】
【従来の技術】
従来、農業用トラクタにおいては、前後位置調節自在な操縦者用シートの左側下部に工具箱取付台を設け、該工具箱取付台上に工具箱を載置すると共に、工具箱を取付台にボルトで固定したものがある（例えば、特許文献１参照。）。
【０００３】
【特許文献１】
実開昭５５−１２１７４９号公報（第２−４頁、第２−４図）
【０００４】
【発明が解決しようとする課題】
しかしながら、上述した農業用トラクタによれば、特に操縦者用シートを前側に移動させた時、工具箱が剥き出し状態になって見栄えが悪く、また当該工具箱は操縦者用シートの左側下部に載置してあるので雨水が進入し易く、工具箱に収容した工具が早期に錆びてしまう等の欠点を有していた。
【０００５】
【課題を解決するための手段】
本発明は、上記課題を解決することを目的として創案したものであって、座席をシートレールを介して前後に位置調節自在に装着してなる作業車両において、前記座席をシートレールに取付けるシートブラケット上に工具箱を固定し、当該工具箱を座席と共に前後移動するように構成したことを特徴としている。
【０００６】
【発明の実施の形態】
本発明の実施形態を以下添付図面に基づいて詳細に説明する。図１は、本発明における農業用トラクタの全体側面図であって、農業用トラクタ１は、前輪２及び後輪３を有する車体４の前部に、図示しないエンジン及びラジエータ等からなる原動機部がボンネット５で覆われた状態で配設されると共に、その後方にハンドル６及び座席７等からなる操縦部８と、更に機体の後部に耕耘装置等を昇降可能に装着する作業機昇降機構９を備えており、これらの基本構成は何れも従来通りである。
【０００７】
そして、前記車体４は、エンジンの側部に取付けるシャーシフレーム１０と、エンジンに連結するクラッチハウジング（不図示）、及びクラッチハウジングとミッションケース１１とを一体的に連結する中間伝動ケース１２等から構成され、前記クラッチハウジングと中間伝動ケース１２の上方にはオペレータが足を載せるステップ１３を設けている。
また、前記ステップ１３の後部からフェンダー１４を後方に向けて連設し、後輪３の前方及び上方を覆うように構成している。
【０００８】
次に本発明の特徴部分である工具箱の収納構造について詳しく説明する。
図２は座席７の取付け状態及び工具箱２１の収納構造を示す側面図、図３は同じく正面図、図４は同じく平面図である。
【０００９】
図２〜図４に示す符号２２は、ミッションケース１１及び作業機昇降用の油圧装置２３の上方を覆うカバー体であって、該カバー体２２の前側はステップ１３と、左右両側は左右のフェンダー１４，１４の内側と、更に後側は左右のフェンダー１４，１４後部に橋設したリヤカバー２４に、ボルト２５・・及びナット２６・を用いて固定してある。
【００１０】
前記カバー体２２上には、機体の前後方向に平行な一対の下部シートレール３１，３１が、該下部シートレール３１，３１に溶接したＰボタン３２・・と、該Ｐボタン３２・・に螺嵌するナット３３・・によって取付けてあり、更に前記下部シートレール３１，３１には、上部シートレール３４，３４が摺動自在に嵌挿されると共に、該上部シートレール３４，３４上には、座席７を装着するシートブラケット３５が、シートレール３４，３４に溶接したＰボタン３６・・と、該Ｐボタン３６・・に螺嵌するナット３７・・によって取付けてある。
【００１１】
そして、前記シートブラケット３５の前端にはパイプ４１が固着してあり、該パイプ４１に挿通するピン４２を介して座席７の前部が取付けられると共に、該座席７はピン４２を軸心として上下回動可能に枢設されている。
また、前記上部シートレール３４，３４上には、座席７の後側底部を支持する左右一対のゴム製クッション４３，４３を取付けてある。
【００１２】
尚、符号５１は、座席７の前後位置を調整するレバーであって、該レバー５１は、前記上部シートレール３４から外方に突出するレバーガイド５２に支持されると共に、常時はレバー５１と一体に回動する爪５１ａを上部シートレール３４の切欠き（不図示）を通し、更に当該爪５１ａを下部シートレール３１に設けられた複数の切欠き（不図示）の一つに弾発付勢して係合させることによって、座席７を所望の前後位置に固定するようにしてある。
【００１３】
そして、座席７の下部中央に工具箱２１を配置すると共に、該工具箱２１をシートブラケット３５にその内部に設けたボルト５３，５３で固定している。
即ち、前記工具箱２１は、常時座席７の下部中央に位置した状態で座席７の前後位置調整に伴って同時に前後に移動する構成になっており、それにより工具箱２１自体が座席７の外方に剥き出し状態にならないので見栄えがよく、しかも工具箱２１に雨水が進入することも上方に設けた座席７の存在によって殆どなくなって、工具箱２１に収容した工具等が早期に錆びてしまうという従来の欠点を解消できる。
また、工具箱２１に収容した工具等を取り出す時は、座席７をピン４２を中心として前方に回動すれば工具箱２１が剥き出し状態となり、工具箱２１の蓋を開いて工具を容易に取り出すことができ、更に蓋を開いた状態では座席７を元の姿勢に戻すことができないので、工具箱２１の蓋の閉め忘れを防ぐことができる。
【００１４】
また、図５（ａ）及び図５（ｂ）に示すものは、座席７を装着するためのシートブラケットの他例を示すものであって、シートブラケット６５を上下反転させて上部シートレール３４，３４に取付けできるようにしたことによって、座席７の前側取付け高さの二段階（Ｈ１＜Ｈ２）の調節と、座席７の前後位置の二段階（Ｌ１＜Ｌ２）の調節とを同時に行なえるように構成したものである。
そして、座席７の後側底部を支持するゴム製クッション４３，４３も、上述したシートブラケット６５による座席７の前側取付け高さの調節に対応して高さ調節できるようにしてある。
【００１５】
即ち、前記ゴム製クッション４３，４３は、図６に示すような直方体に形成されると共に、その相対する各面を貫通して互いに直交する取付け孔４３ａ，４３ｂ，４３ｃが穿孔してあり、その取付け孔４３ａ，４３ｂ，４３ｃの中から所望の取付け孔を選択し、上部シートレール３４に溶接したＰボタン６６，６６に嵌め込むことによって、当該ゴム製クッション４３，４３の取付け高さを三段階に調節することができる。
したがって、上述したシートブラケット６５の上下反転取付け方向と、ゴム製クッション４３，４３の取付け高さの組合せによって、図５（ｂ）の実線で示す標準姿勢から二点鎖線で示すように、座席７を前高後低させたリクライニング姿勢にすることも可能である。
尚、前記ゴム製クッション４３，４３を抜き差して取付ける際、シートレール３４に溶接したＰボタン６６，６６に嵌め込む取付け孔以外の取付け孔は、取付け孔上部から浸入した水の水抜き孔として作用し、それによりＰボタン６６，６６の錆び発生を抑制することができる。
【００１６】
また、上述した座席７は、国内仕様の農業用トラクタ用の座席であって、図７に示すように、当該座席７に替えてサスペンション機構７１を有する輸出仕様の座席７７をカバー体２２上に装着することも可能である。
即ち、輸出仕様の農業用トラクタにおいては、座席７７後部のリヤカバー２４に設置された作業機の傾斜、耕深等を制御するマイコンボックス８１は不要であり、該マイコンボックス８１と、リヤカバー２４にボルト８２・・で固定したカバー８３を取り外し、それによって生じたスペースＳを有効に利用して実線で示す座席７７の標準位置から二点鎖線で示す後退位置までの移動調節ができるようになる。
【００１７】
【発明の効果】
以上説明したように本発明は、座席７をシートレール３１，３４を介して前後に位置調節自在に装着してなる作業車両１において、前記座席７をシートレール３４に取付けるシートブラケット３５上に工具箱２１を固定し、当該工具箱２１を座席７と共に前後移動するように構成したことによって、前記工具箱２１は、常時座席７の下部中央に位置した状態で座席７の前後位置調整に伴って同時に前後に移動し、それにより工具箱２１自体が座席７の外方に剥き出し状態にならないので見栄えがよく、しかも工具箱２１に雨水が進入することも上方に設けた座席７の存在によって殆どなくなって、工具箱２１に収容した工具等が早期に錆びてしまうという従来の欠点を解消できる。
【図面の簡単な説明】
【図１】トラクタの側面図である。
【図２】座席の取付け構造を示す側面図である。
【図３】同上正面図である。
【図４】同上平面図である。
【図５】座席の取付け高さ調節と前後位置調節方法を示す説明図である。
【図６】ゴム製クッションの構造を示す斜視図である。
【図７】輸出仕様の座席の取付け構造を示す側面図である。
【符号の説明】
１    作業車両
７    座席
２１  工具箱
３１  （下部）シートレール
３４  （上部）シートレール
【図１】
2004189047.tif 000003
【図２】
2004189047.tif 000004
【図３】
2004189047.tif 000005
【図４】
2004189047.tif 000006
【図５】
2004189047.tif 000007
【図６】
2004189047.tif 000008
【図７】
2004189047.tif 000009